【手続補正書】
【提出日】平成21年10月21日(2009.10.21)
【手続補正１】
【補正対象書類名】明細書
【補正対象項目名】００１５
【補正方法】変更
【補正の内容】
【００１５】
アリコート受け器移送システム２８は、アリコート受け器アレイ保管・分配モジュール２５を含み、このモジュールは、反応回転コンベヤ１２近くに設けたサンプル吸引針プローブ３０の下方にある多数のアリコート受け器アレイ・トラック内でアリコート受け器アレイ２７を双方向に平行移動させるようになっている。サンプル吸引プローブ３０は、コンピュータ２１によって制御されて、本発明の流体取り扱いシステムによって供給される希釈液ステーション３１からアッセイ希釈液を場合に応じて吸引し、検査前に制御量の希釈液を１つまたはそれ以上のキュベット１７に分配する。サンプル吸引プローブ３０は、さらにコンピュータ２１によって制御されて、トラック内のサンプル採取位置に位置するアリコート受け器アレイ２７内の個々のウェルから制御量のサンプルを吸引し、次いで、１つまたはそれ以上の被検物質についてアナライザ１０で検査するために適切な量の吸引されたサンプルを１つまたはそれ以上のキュベット１７、１８に分配する分配位置にシャトル移動するようになっている。サンプルをキュベット１７、１８に分配することに続いて、プローブ３０は、本発明の流体取り扱いシステムによって供給されるサンプル・プローブ洗浄溶液を用いてプローブ洗浄ステーション内で洗浄される。サンプルが反応キュベット１７、１８に分配された後、在来の移送手段が、必要に応じて、アリコート受け器アレイ移送システム２７と周囲保管チャンバ３３と廃棄処分領域（図示せず）との間でアリコート受け器アレイ２７を動かす。
【手続補正２】
【補正対象書類名】明細書
【補正対象項目名】００２８
【補正方法】変更
【補正の内容】
【００２８】
デュアルチャンバ式二枚貝状熱成形ポリスチレン容器４５（図１１Ａ）は、図１１Ｂに示すように一対のプラスチック・金属・プラスチック・パウチ６３内に収容されたＩＳＥ第２標準Ｂ溶液および塩橋溶液の保管、供給を行うために設けてあり、図１１Ｃに示すように容器４５の開放式二枚貝状の第１、第２のトレイ状部分６５、６６内に設置される。容器４５は、パウチ６３を中に置くために前記開放二枚貝状に熱成形されると好ましい。その後、容器４５が閉ざされ、スポット溶接によってシールされ、パウチ５３を保護する
と共に、アナライザ１０上の適切な取り付けブラケット４４Ｐまたは４５Ｐ内に前記パウチ６３を導入することができるようにしてある。パウチ６３は、口状開口部６３Ｍ内にシールされる取付具６４と、開口金属バンド（ｏｐｅｎ  ｍｅａｌ  ｂａｎｄ）またはキャップ５５を使用して取付具にシールしたセプタム５４と持つものとして説明してきた。図１２は、容器４５の多数の主な特徴を示している。この容器４５は、対向する両端を可撓性直線ジョイント６７で結合した一対の二枚貝状の、同じサイズの矩形の第１、第２のトレイ部６５、６６を包含し、第１トレイ部６５および第２トレイ部６６は、共に、開放くぼみ６５Ｒ、６６Ｒを有し、各くぼみ６５Ｒ、６６Ｒは、一対の膨らんだパウチ６３の約半分を収容するようなサイズとなっている。第１トレイ部６５および第２トレイ部６６は、共に、さらに、直線ジョイントから離れた対向する両端部に形成した一対の半円形開口６８を含むと共に、直線ジョイント６７の近くでくぼみ６５Ｒ、６６Ｒのそれぞれに設けた高くなった部分６５Ｐ、６６Ｐを含む。第１トレイ部６５、第２トレイ部６６は、共に、対向する両端に形成した同一の半円形開口部６８を有し、これらの半円形開口部６８は、第１トレイ部６５および第２トレイ部６６が二枚貝のように一緒に折り重ねられるかまたは折り畳まれたときに、半円形の開口部６８が互いにはめ合って取付具６４を中にシールすることができる円形開口部となるような形状となっている。第１トレイ部６５および第２トレイ部６６を一緒に折り重ねて、パウチ６３を保持し、保護するのに適したシールされ、閉ざされた内側シェルを形成するとき、高くなった部分６５Ｐ、６６Ｐが組み合わさって操作者が操作するのに適したくぼんだハンドル６９を形成する。第１トレイ部６５は、さらに、部分６６の周縁内側でそれと平行に連続的にまたは断続して延びる高くなったレール６５ＲＲを含み、このレール６５ＲＲは、第１トレイ部６５および第２トレイ部６６を折り重ねてパウチ６３を保持し、保護するのに適したシールされ、閉ざされた内側シェルを形成するときに、部分６５の周縁内側でそれに平行に形成された対応するはめ合わせくぼみ６５Ｄ内へ嵌合する。第１トレイ部６５および第２トレイ部６６の製作、組み立てに関するさらなる技術的な詳細は、本明細書に組み込まれており、当業者であれば容易に理解できよう。
【手続補正３】
【補正対象書類名】明細書
【補正対象項目名】００２９
【補正方法】変更
【補正の内容】
【００２９】
シングルチャンバ式二枚貝状ポリスチレン容器４４（図１３Ａ）も同様に、システム溶液およびＩＳＥ希釈液の保管および供給を提供すると共に、図１３Ｂに示すようにプラスチック・金属フォイル・プラスチック・パウチ６３に収容され、図１３Ｃに示すような容器４４の開放二枚貝状の第１、第２のトレイ状部分７０、７１内に設置されたＩＳＥ標準Ａの保管および供給を提供する容器である。容器４４は、同様に、前記開放二枚貝形状に熱成形され、中にパウチ６３を入れてから閉ざされてシールされ、パウチ６３を保護すると共に、前記パウチ６３をアナライザ１０上の適切な取り付けブラケット４４Ｐ内に導入できるようになっている。図１４は、容器４４の多数の主な特徴を示している。容器４４は、対向する両端を可撓性直線ジョイント７２で結合した一対の二枚貝状の、同じサイズの矩形の第１、第２のトレイ部７０、７１を含み、第１トレイ部７０および第２トレイ部７１は、それぞれ、開放くぼみ７０Ｒ、７１Ｒを有し、各くぼみ７０Ｒ、７１Ｒは、膨らんだパウチ６３のほぼ半分を収容するようなサイズとなっている。第１トレイ部７０および第２トレイ部７１は、共に、さらに、直線ジョイント７２から離れた対向する両端部に半円形の開口７３が形成してあり、直線ジョイント７２の近くでくぼみ７０Ｒ、７１Ｒのそれぞれに高くなった部分７０Ｐ、７１Ｐが設けてある。第１トレイ部７０および第２トレイ部７１の対向する両端には同一の半円形開口部７３が形成してあり、これらの半円形開口部７３は、第１トレイ部７０および第２トレイ部７１が二枚貝のように一緒に折り重ねられるかまたは折り畳まれたときに、半円形の開口部７３が互いにはめ合って取付具６
３を中にシールすることができる円形開口部となるような形状となっている。同じ理由のために、第１トレイ部７０および第２トレイ部７１の対向する両端はフィン７０Ｆ、７１Ｆとして形成してあり（図１４）、第１トレイ部７０および第２トレイ部７１が二枚貝のように一緒に折り重ねられるかまたは折り畳まれたときに、フィン７０Ｆ、７１Ｆが互いにはめ合って一体フィン７５を形成する（図１３Ａ）。第１トレイ部７０および第２トレイ部７１を一緒に折り重ねて単一のパウチ６３を保持し、保護するのに適したシールされ、閉ざされた内側シェルを形成するとき、高くなった部分７０Ｐ、７１Ｐが組み合わさって操作者が取り扱うのに適したくぼんだハンドル７４を形成する（図１３Ａ）。第２トレイ部７１は、さらに、その周縁から内側で平行に断片的に延びる多数の高くなったタブ７１Ｔを含み、これらのタブ７１Ｔは、第１トレイ部７０および第２トレイ部７１を一緒に折り重ねてパウチ６３を保持し、保護するのに適したシールされ、閉ざされた内側シェルを形成したとき、部分７０の周縁から内側で平行に形成したはめ合わせくぼみ７０Ｄに嵌合する。重要なのは、第１トレイ部７０および第２トレイ部７１を一緒に折り重ねたとき、フィン部分７０Ｆ、７１Ｆが一致して一体フィン７５を形成し（図１３Ａ）、そこに後述する、矢印７６で示すノッチＮを切ることができるということである。第１トレイ部７０および第２トレイ部７１の製作、組み立てに関するさらなる技術的な詳細は、本明細書に組み込まれており、当業者であれば容易に理解できよう。
【手続補正４】
【補正対象書類名】図面
【補正対象項目名】図１
【補正方法】変更
【補正の内容】
【図１】
2009517663.tif 000001